(57)【要約】  筐体の金属面に対してグラファイトシートを確実に面接触させることにより、良好な放熱性が得られる電子機器を提供する。  電子機器１０は、凹部２２を有する上カバー１９と、凹部２２に設けられたグラファイトシート２０とを備えている。上カバー１９は、凹部２２の底面である第１の面２３と、凹部の頂面である第２の面２４と、第１の面と第２の面との間に掛け渡された段差面２５とを備えている。グラファイトシートのうち、第３の面３５ａの第３の領域４８が第１の面に粘着するとともに、第３の面３５ａの第２の領域４７が段差面および第２の面に粘着しないように構成されている。
2011086950.tif 000002
【特許請求の範囲】
【請求項１】
凹部の底面である第１の面と、前記凹部の頂面である第２の面と、前記第１の面と前記第２の面との間に掛け渡された段差面と、を備える筐体と、
第３の面と、前記第３の面と反対の第４の面と、前記第３の面と前記第４の面の間にグラファイトとを備え、前記第３の面が、前記第１の面と前記段差面と前記第２の面に倣って配置されたグラファイトシートと、
前記グラファイトシートの前記第４の面において、前記第１の面に対応する領域に配置されたキー基板と、
前記キー基板と、前記グラファイトシートの前記段差面と前記第２の面に配置された部分と、を覆うキーシートとを備え、
前記グラファイトシートの第３の面は、前記第１の面に粘着するとともに、前記段差面および前記第２の面に粘着しない電子機器。
【請求項２】
請求項１に記載の電子機器であって、
前記グラファイトシートの第４の面は、前記キー基板に粘着するとともに、前記キーシートと粘着しない電子機器。
【請求項３】
請求項２に記載の電子機器であって、
前記キーシートは前記第２の面に接触する接触部を備え、
前記キーシートと前記第２の面は前記接触部において固定される電子機器。
【請求項４】
請求項３に記載の電子機器であって、
前記接触部は、前記第２の面に配置されたキーシートの周部である電子機器。
【請求項５】
請求項１に記載の電子機器であって、
前記グラファイトシートは、前記第３の面における、前記第１の面と前記段差面と前記第２の面に対面する領域において粘着性を有し、かつ前記段差面と前記第２の面に対面する領域において非粘着シートを備える電子機器。
【請求項６】
請求項２に記載の電子機器であって、
前記グラファイトシートは、前記第４の面における、前記第１の面と前記段差面と前記第２の面に対面する領域において粘着性を有し、かつ前記段差面と前記第２の面に対面する領域において非粘着シートを備える電子機器。
【発明の詳細な説明】
【技術分野】
【０００１】
本発明は、筐体およびキー基板間に熱伝導率の高いグラファイトシートを備えた電子機器に関するものである。
【背景技術】
【０００２】
電子機器として、下筐体（筐体）および上筐体が連結部で折畳み自在に連結され、下筐体に操作部が設けられ、上筐体に表示部が設けられた折り畳み式携帯端末が知られている。
操作部は、平坦な金属面を有する下筐体と、下筐体の金属面に粘着固定されたグラファイトシートと、グラファイトシートに重ねられたキー基板と、キー基板を覆うキーシートとを備えている。
グラファイトシートは熱伝導率の高いグラファイトを備えている（例えば、特許文献１、２参照）。【０００３】
グラファイトシートを下筐体の金属面に粘着固定することで、熱伝導率の高いグラファイトで金属面の熱を効果的に放熱することが可能である。
【先行技術文献】
【特許文献】
【０００４】
【特許文献１】日本国特開２０００−３１１０５０号公報
【特許文献２】日本国特開２００１−２１０７６１号公報
【発明の概要】
【発明が解決しようとする課題】
【０００５】
ここで、下筐体（金属面）の熱をグラファイトシートで効果的に放熱するためには、金属面の熱をグラファイトシート（具体的には、グラファイト）に良好に伝える必要がある。
下筐体（金属面）の熱をグラファイトシートに良好に伝えるためには、下筐体（金属面）に対してグラファイトシートを確実に面接触させる必要がある。【０００６】
本発明は、前述した課題を解決するためになされたものであり、その目的は、筐体の金属面にグラファイトシートを確実に面接触させることにより、良好な放熱性が得られる電子機器を提供することにある。
【課題を解決するための手段】
【０００７】
本発明は、凹部の底面である第１の面と、前記凹部の頂面である第２の面と、前記第１の面と前記第２の面との間に掛け渡された段差面と、を備える筐体と、第３の面と、前記第３の面と反対の第４の面と、前記第３の面と前記第４の面の間にグラファイトとを備え、前記第３の面が、前記第１の面と前記段差面と前記第２の面に倣って配置されたグラファイトシートと、前記グラファイトシートの前記第４の面において、前記第１の面に対応する領域に配置されたキー基板と、前記キー基板と、前記グラファイトシートの前記段差面と前記第２の面に配置された部分と、を覆うキーシートとを備え、前記グラファイトシートの第３の面は、前記第１の面に粘着するとともに、前記段差面および前記第２の面に粘着しない。【０００８】
このような本発明においては、グラファイトシートの第３の面を第１の面に粘着させるようにした。グラファイトシートの第３の面を第１の面に粘着することで、第１の面（例えば、金属面）に対してグラファイトシートを確実に面接触させることができる。
これにより、第１の面（金属面）の熱をグラファイトシートに好適に伝え、良好な放熱性を得ることができる。【０００９】
ここで、段差面や第２の面にグラファイトシートを粘着させた場合、第２の面に粘着したグラファイトシートの移動が規制され、グラファイトシートを段差面に馴染ませることが難しい。
このため、グラファイトシートを段差面に馴染ませつつグラファイトシートに浮きが発生しないように張り付けることは難しい。
そこで、段差面および第２の面にグラファイトシートの第３の面を粘着しないようにすることで、グラファイトシートの移動を許容してグラファイトシートを段差面に馴染ませることができるようにした。【００１０】
よって、段差面に対して隙間がないように（すなわち、浮き上がらないように）グラファイトシートを配置できる。
これにより、浮き上がったグラファイトシートでキー基板が捲かれるように変形することを抑えて、キー基板（具体的には、パネルスイッチ（ドームスイッチ））のクリック不良を防ぐことができる。【００１１】
さらに、キー基板（パネルスイッチ）近傍の段差面において、グラファイトシートが浮き上がることを抑えることで、キー基板（パネルスイッチ）の押し操作でグラファイトシートが繰り返し撓むことを防止できる。
これにより、グラファイトシートの繰り返しの撓みでグラファイトが切断されることを防いで、グラファイトシートの熱伝達機能を良好に保つことができる。【００１２】
加えて、段差面や第２の面にグラファイトシートを粘着させないようにしてグラファイトシートの移動を許容することで、グラファイトシートを段差面に簡単に馴染ませることができる。
よって、第１の面にグラファイトシートを張り付ける際に、グラファイトシートを段差面に馴染ませつつ浮きが発生しないように容易に張り付けることができる。
これにより、グラファイトシートを張り付ける際の作業効率を向上させることができる。【００１３】
また、本発明は、前記グラファイトシートの第４の面は、前記キー基板に粘着するとともに、前記キーシートと粘着しない。【００１４】
本発明においては、グラファイトシートの第４の面をキー基板に粘着することで、グラファイトシートの第４の面にキー基板を確実に固定できる。
さらに、グラファイトシートが段差面に沿い第２の面より離れる方向に跳ね上がった状態でキーシートを第２の面に張り付ける場合でも、グラファイトシートの第４の面にキーシートを粘着しないことで、跳ね上がったグラファイトシートにキーシートが貼り付かなくなり、グラファイトシートを張り付ける際の作業効率を向上させることができる。【００１５】
さらに、本発明は、前記キーシートは前記第２の面に接触する接触部を備え、前記キーシートと前記第２の面は前記接触部において固定される。【００１６】
本発明においては、キーシートおよび第２の面が接触部において固定されるため、キーシートと第２の面との間に空間を形成でき、これによりキーシートと第２の面との間においてグラファイトシートの移動を許容できる。【００１７】
また、本発明は、前記接触部は、前記第２の面に配置されたキーシートの周部である。【００１８】
本発明においては、接触部を第２の面に配置したキーシートの周部とすることで、キーシートと第２の面との間においてグラファイトシートの移動を許容できる。【００１９】
さらに、本発明は、前記グラファイトシートは、前記第３の面における、前記第１の面と前記段差面と前記第２の面に対面する領域において粘着性を有し、かつ前記段差面と前記第２の面に対面する領域において非粘着シートを備える。【００２０】
本発明においては、グラファイトシートの第３の面を第１の面に粘着させることができる。よって、第１の面（例えば、金属面）にグラファイトシートを確実に面接触させることができる。
これにより、第１の面（金属面）の熱をグラファイトシートに好適に伝え、良好な放熱性を得ることができる。【００２１】
また、グラファイトシートの第３の面が段差面や第２の面に粘着することを非粘着シートで防ぐことができる。
よって、グラファイトシートの移動を許容してグラファイトシートを段差面に馴染ませることができるようにした。【００２２】
グラファイトシートを段差面に馴染ませることで、段差面に対して浮き上がらないようにグラファイトシートを配置できる。
これにより、浮き上がったグラファイトシートでキー基板が捲かれるように変形することを抑えて、キー基板（パネルスイッチ）のクリック不良を防ぐことができる。【００２３】
さらに、キー基板（パネルスイッチ）近傍の段差面において、グラファイトシートが浮き上がることを抑えることで、キー基板（パネルスイッチ）の押し操作でグラファイトシートが繰り返し撓むことを防止できる。
これにより、グラファイトシートの繰り返しの撓みでグラファイトが切断されることを防いで、グラファイトシートの熱伝達機能を良好に保つことができる。【００２４】
加えて、段差面や第２の面にグラファイトシートを粘着させないことで、段差面にグラファイトシートを簡単に馴染ませることができる。
よって、第１の面にグラファイトシートを張り付ける際に、グラファイトシートを段差面に馴染ませつつ浮きが発生しないように容易に張り付けることができる。
これにより、グラファイトシートを張り付ける際の作業効率を向上させることができる。【００２５】
また、本発明は、前記グラファイトシートは、前記第４の面における、前記第１の面と前記段差面と前記第２の面に対面する領域において粘着性を有し、かつ前記段差面と前記第２の面に対面する領域において非粘着シートを備える。【００２６】
本発明においては、グラファイトシートの第４の面における第１の面に対面する領域に粘着性を有することで、グラファイトシートの第４の面にキー基板を粘着できる。
これにより、グラファイトシートの第４の面にキー基板を確実に固定できる。【００２７】
また、グラファイトシートの第４の面にキーシートが粘着することを非粘着シートで防ぐことができる。よって、キーシートがグラファイトシートの第４の面に粘着して凹状に凹むことを防止できる。
これにより、キーシートが凹んで外観不良になることを防いで、外観性を良好に保つことができる。
【発明の効果】
【００２８】
本発明の電子機器によれば、グラファイトシートの第３の面を筐体（第１の面）に粘着することで、第１の面の金属面に対してグラファイトシートを確実に面接触させることができ、良好な放熱性が得られるという効果を有する。
【図面の簡単な説明】
【００２９】
【図１】本発明に係る第１実施形態の電子機器を示す斜視図
【図２】第１実施形態の電子機器を示す分解斜視図
【図３】図１のＡ−Ａ線断面図
【図４】図３の電子機器を分解した状態を示す断面図
【図５】比較例の電子機器を示す断面図
【図６】図５の電子機器を分解した状態を示す断面図
【図７】第２実施形態の電子機器を示す断面図
【図８】図７の電子機器を分解した状態を示す断面図
【発明を実施するための形態】
【００３０】
以下、本発明の複数の実施の形態に係る電子機器１０について図面を参照して説明する。
【００３１】
（第１実施形態）
図１に示すように、本発明の第１実施形態である電子機器１０は、操作部１２が設けられた下筐体１１と、表示部１５が設けられた上筐体１４と、下筐体１１および上筐体１４を折畳み自在に連結する連結部１７と、下筐体１１および操作部１２間に配置されたグラファイトシート２０（図２参照）とを備えた折り畳み式携帯端末である。
【００３２】
なお、第１実施形態では電子機器１０として折り畳み式携帯端末を例示するが、電子機器１０は折り畳み式携帯端末に限定するものではなく、他の電子機器に適用することも可能である。
【００３３】
下筐体１１は、下筐体１１の下部を構成する下カバー１８と、下カバー１８の上部に設けられた上カバー（筐体）１９とで筐体状に形成されている。
【００３４】
図２〜図４に示すように、上カバー１９は、凹部２２の底面である第１の面２３と、凹部２２の頂面である第２の面２４と、第１の面２３および第２の面２４間に掛け渡された段差面２５とを備えている。
【００３５】
第１の面２３は、凹部２２の底面を形成する水平面である。
第２の面２４は、凹部２２の頂面（すなわち、第１の面２３より上方の面）を形成する水平面である。
段差面２５は、第１の面２３から第２の面２４に向けて上り勾配に延びる傾斜面である。
第１の面２３、第２の面２４および段差面２５は金属板（すなわち、金属面）で形成されている。この金属板は上カバー１９にインサート成型されている。
【００３６】
操作部１２は、グラファイトシート２０に配置されたキー基板２６と、キー基板２６を覆うキーシート２８とを備えている。
キー基板２６は、グラファイトシート２０に配置された基板シート２７ａと、基板シート２７ａに設けられたパネルスイッチ（ドームスイッチ）２７ｂとを備えている。
【００３７】
基板シート２７ａは、グラファイトシート２０の第４の面３５ｂにおいて第６の領域（領域）３３に配置された可撓性の放熱性ＦＰＣシートである。
第６の領域３３は、グラファイトシート２０の第４の面３５ｂにおいて、第１の面２３に対応（対面）する領域である。
【００３８】
キーシート２８は、キー基板２６と、グラファイトシート２０の第５の領域３２とを覆うとともに、キー押圧部２８ａを備えた部材である。
第５の領域３２は、グラファイトシート２０（第４の面３５ｂ）のうち段差面２５と第２の面２４に配置された（対面する）領域である。
キーシート２８のキー押圧部２８ａを押圧することで、パネルスイッチ２７ｂをオフからオンに切り替えることができる。
【００３９】
このキーシート２８は、キーシート２８を上カバー１９の第２の面２４に接続する接触部２９を備えている。
接触部２９は、キーシート２８の周部２８ｂに備えられるとともに第２の面２４に接続（接触）することで、キーシート２８を第２の面２４に固定（配置）する部材である。
キーシート２８および第２の面２４を接触部２９で固定することで、キーシート２８と第２の面２４との間に空間を形成でき、これによりキーシート２８と第２の面２４との間においてグラファイトシート２０の移動を許容できる。
さらに、接触部２９を第２の面２４に配置したキーシート２８の周部２８ｂとすることで、キーシート２８と第２の面２４との間においてグラファイトシート２０の移動を許容できる。
【００４０】
グラファイトシート２０は、凹部２２（第１の面２３、第２の面２４および段差面２５）に沿って配置されたシート本体３５と、シート本体３５内に収容されたグラファイト３６とを備えた可撓性のシートである。
グラファイト３６は可撓性と高い熱伝導性を備えるが、割れやすい部材である。そこでグラファイト３６をシート本体３５内に収容することで、グラファイトシート２０は可撓性及び放熱性を備えるとともに、割れにくいシートの形状に形成されている。
【００４１】
シート本体３５は、上カバー１９側に位置する第３の面３５ａと、第３の面３５ａの反対（すなわち、キーシート２８側）に位置する第４の面３５ｂとを有する可撓性のシートである。
そして、第３の面３５ａおよび第４の面３５ｂ間にグラファイト３６が備えられている。
シート本体３５の第３の面３５ａは、第１の面２３、段差面２５および第２の面２４に倣って配置（形成）されている。
【００４２】
このグラファイトシート２０は、シート本体３５の第３の面３５ａに備えられた第１粘着材４１と、第１粘着材４１および上カバー１９間に配置された第１非粘着シート（非粘着シート）４２と、シート本体３５の第４の面３５ｂに備えられた第２粘着材４３と、第２粘着材４３および操作部１２（すなわち、キーシート２８）間に配置された第２非粘着シート（非粘着シート）４４とを備えている。
【００４３】
第１粘着材４１は、シート本体３５の第３の面３５ａにおける第１の領域（領域）４６に備えられている。
第１の領域４６は、シート本体３５の第３の面３５ａにおける、第１の面２３、段差面２５および第２の面に対面する領域である。
すなわち、シート本体３５の第１領域４６は粘着性を有している。
【００４４】
第１非粘着シート４２は、シート本体３５の第３の面３５ａにおける第２の領域（領域）４７（具体的には、第１粘着材４１）に備えられている。
第２の領域４７は、シート本体３５の第３の面３５ａにおける、段差面２５と第２の面２４に対面する領域である。
そして、第３の面３５ａの第３の領域４８が第１粘着材４１を介して第１の面２３に粘着されている。第３の領域４８は、シート本体３５の第３の面３５ａにおける第１の面２３に対面する領域である。
【００４５】
換言すれば、グラファイトシート２０の第３の面３５ａは、第３の領域４８が第１の面２３に粘着するとともに、第２の領域４７が段差面２５および第２の面２４に粘着しないように形成されている。
【００４６】
グラファイトシート２０の第３の領域４８を第１の面２３に粘着することで、第１の面２３（金属面）に対してグラファイトシート２０を確実に面接触させることができる。
これにより、第１の面２３（金属面）の熱をグラファイトシート２０に好適に伝え、良好な放熱性を得ることができる。
【００４７】
ここで、段差面２５や第１の面２３にグラファイトシート２０の第２の領域４７を粘着させた場合、第２の領域４７の移動が規制されてしまう。
このため、グラファイトシート２０を段差面２５に馴染ませつつグラファイトシート２０に浮きが発生しないように張り付けることは難しい。
そこで、グラファイトシート２０の第２の領域４７が段差面２５および第２の面２４に粘着することを第１非粘着シート４２で防ぐようにした。
【００４８】
よって、グラファイトシート２０の第２の領域４７の移動を可能にして第２の領域４７を段差面２５に馴染ませることができる。第２の領域４７を段差面２５に馴染ませることで、グラファイトシート２０を段差面２５に対して浮き上がらないように配置できる。
これにより、浮き上がったグラファイトシート２０でキー基板２６（具体的には、基板シート２７ａ）が捲かれるように変形することを抑えることができる。
したがって、キーシート２８のキー押圧部２８ａを押圧したときのパネルスイッチ２７ｂのクリック不良を防ぐことができる。
【００４９】
さらに、パネルスイッチ２７ｂの近傍に段差面２５が設けられている。よって、パネルスイッチ２７ｂの近傍の段差面２５において、グラファイトシート２０が浮き上がることを抑えることで、キー押圧部２８ａの押し操作でグラファイトシート２０が繰り返し撓むことを防止できる。
これにより、グラファイトシート２０の繰り返しの撓みでグラファイト３６が切断されることを防いで、グラファイトシート２０の熱伝達機能を良好に保つことができる。
【００５０】
第２粘着材４３は、グラファイトシート２０の第４の面３５ｂにおける第４の領域（領域）３１に備えられている。
第４の領域３１は、グラファイトシート２０の第４の面３５ｂにおける、第１の面２３、段差面２５および第２の面に対面する領域である。
すなわち、グラファイトシート２０の第４の領域３１は粘着性を有している。
【００５１】
第２非粘着シート４４は、グラファイトシート２０の第４の面３５ｂにおける第５の領域（部分、領域）３２（具体的には、第２粘着材４３）に備えられている。
第５の領域３２は、グラファイトシート２０の第４の面３５ｂにおける、段差面２５と第２の面２４に対面する領域である。
そして、第４の面３５ｂの第６の領域３３が第２粘着材４３を介してキー基板２６の基板シート２７ａに粘着されている。
【００５２】
換言すれば、グラファイトシート２０の第４の面３５ｂは、第６の領域３３がキー基板２６（基板シート２７ａ）に粘着するとともに、第５の領域３２がキーシート２８（具体的には、周部２８ｂの近傍２８ｃ）に粘着しないように形成されている。
グラファイトシート２０の第６の領域３３にキー基板２６を粘着することで、グラファイトシート２０の第４の面３５ｂにキー基板２６を確実に固定できる。
【００５３】
さらに、グラファイトシート２０の第５の領域３２にキーシート２８（周部２８ｂの近傍２８ｃ）が粘着することを第２非粘着シート４４で防ぐことができる。
よって、キーシート２８（周部２８ｂの近傍２８ｃ）がグラファイトシート２０の第５の領域３２に粘着して凹状に凹むことを防止できる。
これにより、キーシート２８（周部２８ｂの近傍２８ｃ）が凹んで外観不良になることを防いで、外観性を良好に保つことができる。
さらに、グラファイトシート２０が段差面に沿い第２の面２４より離れる方向に跳ね上がった状態でキーシート２８を第２の面２４に張り付ける場合でも、グラファイトシート２０の第４の面３５ｂにキーシート２８を粘着しないことで、跳ね上がったグラファイトシート２０にキーシート２８が貼り付かなくなり、グラファイトシート２０を張り付ける際の作業効率を向上させることができる。
【００５４】
つぎに、電子機器１０を組み付ける手順を図４に基づいて説明する。
まず、上カバー１９の段差面２５および第２の面２４とグラファイトシート２０の第２の領域４７との間に第１非粘着シート４２を介在させる。
グラファイトシート２０（第１粘着材４１）を上カバー１９の第１の面２３に矢印Ａのように粘着させる（張り付ける）。
【００５５】
ここで、上カバー１９の段差面２５および第２の面２４とグラファイトシート２０の第２の領域４７との間に第１非粘着シート４２を介在させることで、第２の領域４７が段差面２５および第２の面２４に粘着すること防ぐことができる。
よって、グラファイトシート２０の第２の領域４７の位置を任意に調整してグラファイトシート２０を段差面２５に簡単に馴染ませることができる。
【００５６】
これにより、第１の面２３にグラファイトシート２０を張り付ける際に、グラファイトシート２０を段差面２５に馴染ませつつ浮きが発生しないように容易に張り付けることができる。
したがって、グラファイトシート２０を張り付ける際の作業効率を向上させることができる。
【００５７】
第１の面２３にグラファイトシート２０を張り付けた後、グラファイトシート２０の第６の領域３３に第２粘着材４３を介してキー基板２６（基板シート２７ａ）を矢印Ｂのように粘着する（張り付ける）。
つぎに、グラファイトシート２０の第５の領域３２（第２粘着材４３）に第２非粘着シート４４を配置する。
【００５８】
ついで、キーシート２８の接触部２９を矢印Ｃのように第２の面２４に接続（接触）することにより、キーシート２８を第２の面２４に固定（配置）する。
これにより、キーシート２８でキー基板２６を覆うことができる。
この状態において、グラファイトシート２０の第５の領域３２にキーシート２８が粘着することを第２非粘着シート４４で防ぐことができる。
【００５９】
（比較例）
図５〜図６に示すように、比較例の電子機器１００は、第１実施形態のグラファイトシート２０（図４参照）をグラファイトシート１０２に代えたもので、その他の構成は第１実施形態の電子機器１０と同じである。
【００６０】
グラファイトシート１０２は、第１実施形態のグラファイトシート２０から第１非粘着シート４２および第２非粘着シート４４（図４参照）を除去したもので、その他の構成は第１実施形態のグラファイトシート２０と同じである。
【００６１】
比較例の電子機器１００によれば、段差面２５や第２の面２４にグラファイトシート１０２の第２の領域４７が粘着し（図５では、第２の領域４７が第２の面２４のみに粘着する例を示す）、第２の領域４７の移動が規制される。
第２の領域４７の移動が規制されることで、図５に示すように、第２の領域４７のうち領域４７ａが段差面２５から浮き上がってしまう。
【００６２】
よって、グラファイトシート１０２を段差面２５に馴染ませつつグラファイトシート１０２に浮きが発生しないように張り付けることは難しい。
グラファイトシート１０２に浮きが発生することで、図５に示すように、浮き上がったグラファイトシート１０２でキー基板２６（具体的には、基板シート２７ａの端部２７ｃ）が捲かれるように変形する。
このため、キーシート２８のキー押圧部２８ａを押圧したとき、パネルスイッチ２７ｂがクリック不良を生じる虞がある。
【００６３】
また、比較例の電子機器１００によれば、図５に示すように、グラファイトシート１０２の第５の領域３２に第２粘着材４３を介してキーシート２８の周部２８ｂ（具体的には、周部２８ｂの近傍２８ｃ）が粘着する。
このため、周部２８ｂの近傍２８ｃが凹状に凹み、外観性を良好に保つことができない虞がある。
【００６４】
これに対して、図３〜図４に示す第１実施形態の電子機器１０は、第１非粘着シート４２でグラファイトシート２０の浮き上がりを抑えてパネルスイッチ２７ｂのクリック不良を防ぐことができる。
また、第１実施形態の電子機器１０は、第２非粘着シート４４でキーシート２８の周部２８ｂ（具体的には、周部２８ｂの近傍２８ｃ）がグラファイトシート２０に粘着することを防ぐことができる。
これにより、周部２８ｂの近傍２８ｃが凹状に凹むことを抑えて外観性を良好に保つことができる。
【００６５】
（第２実施形態）
図７〜図８に示すように、本発明の第２実施形態の電子機器７０は、第１実施形態のグラファイトシート２０をグラファイトシート７２に代えたもので、その他の構成は第１実施形態の電子機器１０と同じである。
【００６６】
グラファイトシート７２は、第１実施形態に備えたグラファイトシート２０の第１粘着材４１（図４参照）を第１粘着材７４に代え、第２粘着材４３（図４参照）を第２粘着材７６に代えたもので、その他の構成（第１非粘着シート４２および第２非粘着シート４４など）は第１実施形態のグラファイトシート２０と同様である。
【００６７】
第１粘着材７４は、シート本体３５の第３の面３５ａにおける、第１の面２３に対面する第３の領域４８に備えられている。
すなわち、シート本体３５の第３の領域４８は粘着性を有している。
【００６８】
第１非粘着シート４２は、シート本体３５の第３の面３５ａにおける、段差面２５と第２の面２４に対面する第２の領域４７に備えられている。
そして、第３の面３５ａの第３の領域４８が第１粘着材７４を介して第１の面２３に粘着されている。
【００６９】
換言すれば、グラファイトシート７２の第３の面３５ａは、第１実施形態と同様に、第３の領域４８が第１の面２３に粘着するとともに、第２の領域４７が段差面２５および第２の面２４に粘着しないように形成されている。
【００７０】
すなわち、第２実施形態の電子機器７０によれば、第１実施形態の電子機器１０と同様に、良好な放熱性を得ることや、パネルスイッチ２７ｂのクリック不良を防ぐことができる。
さらに、第２実施形態の電子機器７０によれば、第１実施形態と同様に、グラファイトシート７２の熱伝達機能を良好に保つことや、グラファイトシート７２を張り付ける際の作業効率を向上させることができる。
【００７１】
また、第２粘着材７６は、グラファイトシート７２の第４の面３５ｂにおける、第１の面２３に対面する第６の領域３３に備えられている。
すなわち、グラファイトシート２０の第６の領域３３は粘着性を有している。
【００７２】
第２非粘着シート４４は、グラファイトシート７２の第４の面３５ｂにおける、段差面２５と第２の面２４に対面する第５の領域３２に備えられている。
そして、第４の面３５ｂの第６の領域３３が第２粘着材７６を介してキー基板２６（基板シート２７ａ）に粘着されている。
【００７３】
換言すれば、グラファイトシート７２の第４の面３５ｂは、第１実施形態と同様に、第６の領域３３がキー基板２６（基板シート２７ａ）に粘着するとともに、第５の領域３２がキーシート２８に粘着しないように形成されている。
【００７４】
すなわち、第２実施形態の電子機器７０によれば、第１実施形態と同様に、キー基板２６を確実に固定することや、キーシート２８（周部２８ｂの近傍２８ｃ）の凹みを抑えて外観性を良好に保つことができる。
ここで、第２実施形態の電子機器７０によれば、第１粘着材７４を第３の領域４８に備え、第２粘着材７６を第６の領域３３に備えることで、前述した第１実施形態のように段差面２５および第２の面２４において第１粘着材および第１非粘着シートが積層された場合に比較して薄型化できる。
【００７５】
なお、本発明に係る電子機器は、前述した第１実施形態〜第２実施形態に限定されるものではなく適宜変更、改良などが可能である。
例えば、第１実施形態〜第２実施形態では、電子機器として折り畳み式携帯端末を例示するが、電子機器は折り畳み式携帯端末に限定するものではなく、その他の電子機器に適用することも可能である。
【００７６】
また、前記第１実施形態〜第２実施形態で使用した電子機器、上カバー、グラファイトシート、凹部、第１の面、第２の面、段差面、キー基板、キーシート、周部、第４の領域、第５の領域、第６の領域、シート本体、第３の面、第４の面、グラファイト、第１粘着材、第１非粘着シート、第２粘着材、第２非粘着シート、接触部、第１の領域、第２の領域および第３の領域などの形状や構成は例示したものに限定するものではなく適宜変更が可能である。
【００７７】
本出願は、２０１０年１月１８日出願の日本国特許出願（特願2010-008129）に基づくものであり、それらの内容はここに参照として取り込まれる。
【符号の説明】
【００７８】
１０，７０  電子機器
１１  下筐体
１９  上カバー（筐体）
２０，７２  グラファイトシート
２２  凹部
２３  第１の面
２４  第２の面
２５  段差面
２６  キー基板
２８  キーシート
２８ｂ  周部
３１  第４の領域（第４の面における、第１の面と段差面と第２の面に対面する領域）
３２  第５の領域（グラファイトシートの段差面と第２の面に配置された部分、第４の面における、段差面と第２の面に対面する領域）
３３  第６の領域（第４の面において、第１の面に対応する領域）
３５  シート本体
３５ａ  第３の面
３５ｂ  第４の面
３６  グラファイト
４１，７４  第１粘着材
４２  第１非粘着シート
４３，７６  第２粘着材
４４  第２非粘着シート
４５  接触部
４６  第１の領域（第３の面における、第１の面と段差面と第２の面に対面する領域）
４７  第２の領域（第３の面における、段差面と第２の面に対面する領域）
４８  第３の領域
【図１】
2011086950.tif 000003
【図２】
2011086950.tif 000004
【図３】
2011086950.tif 000005
【図４】
2011086950.tif 000006
【図５】
2011086950.tif 000007
【図６】
2011086950.tif 000008
【図７】
2011086950.tif 000009
【図８】
2011086950.tif 000010
【手続補正書】
【提出日】平成24年3月13日(2012.3.13)
【手続補正１】
【補正対象書類名】明細書
【補正対象項目名】全文
【補正方法】変更
【補正の内容】
【発明の詳細な説明】
【技術分野】
【０００１】
本発明は、筐体およびキー基板間に熱伝導率の高いグラファイトシートを備えた電子機器に関するものである。
【背景技術】
【０００２】
電子機器として、下筐体（筐体）および上筐体が連結部で折畳み自在に連結され、下筐体に操作部が設けられ、上筐体に表示部が設けられた折り畳み式携帯端末が知られている。
操作部は、平坦な金属面を有する下筐体と、下筐体の金属面に粘着固定されたグラファイトシートと、グラファイトシートに重ねられたキー基板と、キー基板を覆うキーシートとを備えている。
グラファイトシートは熱伝導率の高いグラファイトを備えている（例えば、特許文献１、２参照）。
【０００３】
グラファイトシートを下筐体の金属面に粘着固定することで、熱伝導率の高いグラファイトで金属面の熱を効果的に放熱することが可能である。
【先行技術文献】
【特許文献】
【０００４】
【特許文献１】日本国特開２０００−３１１０５０号公報
【特許文献２】日本国特開２００１−２１０７６１号公報
【発明の概要】
【発明が解決しようとする課題】
【０００５】
ここで、下筐体（金属面）の熱をグラファイトシートで効果的に放熱するためには、金属面の熱をグラファイトシート（具体的には、グラファイト）に良好に伝える必要がある。
下筐体（金属面）の熱をグラファイトシートに良好に伝えるためには、下筐体（金属面）に対してグラファイトシートを確実に面接触させる必要がある。
【０００６】
本発明は、前述した課題を解決するためになされたものであり、その目的は、筐体の金属面にグラファイトシートを確実に面接触させることにより、良好な放熱性が得られる電子機器を提供することにある。
【課題を解決するための手段】
【０００７】
本発明は、凹部の底面である第１の面と、前記凹部の頂面である第２の面と、前記第１の面と前記第２の面との間に掛け渡された段差面と、を備える筐体と、第３の面と、前記第３の面と反対の第４の面と、前記第３の面と前記第４の面の間にグラファイトとを備え、前記第３の面が、前記第１の面と前記段差面と前記第２の面に倣って配置されたグラファイトシートと、前記グラファイトシートの前記第４の面において、前記第１の面に対応する領域に配置されたキー基板と、前記キー基板と、前記グラファイトシートの前記段差面と前記第２の面に配置された部分と、を覆うキーシートとを備え、前記グラファイトシートの第３の面は、前記第１の面に粘着するとともに、前記段差面および前記第２の面に粘着しない。
【０００８】
このような本発明においては、グラファイトシートの第３の面を第１の面に粘着させるようにした。グラファイトシートの第３の面を第１の面に粘着することで、第１の面（例えば、金属面）に対してグラファイトシートを確実に面接触させることができる。
これにより、第１の面（金属面）の熱をグラファイトシートに好適に伝え、良好な放熱性を得ることができる。
【０００９】
ここで、段差面や第２の面にグラファイトシートを粘着させた場合、第２の面に粘着したグラファイトシートの移動が規制され、グラファイトシートを段差面に馴染ませることが難しい。
このため、グラファイトシートを段差面に馴染ませつつグラファイトシートに浮きが発生しないように張り付けることは難しい。
そこで、段差面および第２の面にグラファイトシートの第３の面を粘着しないようにすることで、グラファイトシートの移動を許容してグラファイトシートを段差面に馴染ませることができるようにした。
【００１０】
よって、段差面に対して隙間がないように（すなわち、浮き上がらないように）グラファイトシートを配置できる。
これにより、浮き上がったグラファイトシートでキー基板が捲かれるように変形することを抑えて、キー基板（具体的には、パネルスイッチ（ドームスイッチ））のクリック不良を防ぐことができる。
【００１１】
さらに、キー基板（パネルスイッチ）近傍の段差面において、グラファイトシートが浮き上がることを抑えることで、キー基板（パネルスイッチ）の押し操作でグラファイトシートが繰り返し撓むことを防止できる。
これにより、グラファイトシートの繰り返しの撓みでグラファイトが切断されることを防いで、グラファイトシートの熱伝達機能を良好に保つことができる。
【００１２】
加えて、段差面や第２の面にグラファイトシートを粘着させないようにしてグラファイトシートの移動を許容することで、グラファイトシートを段差面に簡単に馴染ませることができる。
よって、第１の面にグラファイトシートを張り付ける際に、グラファイトシートを段差面に馴染ませつつ浮きが発生しないように容易に張り付けることができる。
これにより、グラファイトシートを張り付ける際の作業効率を向上させることができる。
【００１３】
また、本発明は、前記グラファイトシートの第４の面は、前記キー基板に粘着するとともに、前記キーシートと粘着しない。
【００１４】
本発明においては、グラファイトシートの第４の面をキー基板に粘着することで、グラファイトシートの第４の面にキー基板を確実に固定できる。
さらに、グラファイトシートが段差面に沿い第２の面より離れる方向に跳ね上がった状態でキーシートを第２の面に張り付ける場合でも、グラファイトシートの第４の面にキーシートを粘着しないことで、跳ね上がったグラファイトシートにキーシートが貼り付かなくなり、グラファイトシートを張り付ける際の作業効率を向上させることができる。
【００１５】
さらに、本発明は、前記キーシートは前記第２の面に接触する接触部を備え、前記キーシートと前記第２の面は前記接触部において固定される。
【００１６】
本発明においては、キーシートおよび第２の面が接触部において固定されるため、キーシートと第２の面との間に空間を形成でき、これによりキーシートと第２の面との間においてグラファイトシートの移動を許容できる。
【００１７】
また、本発明は、前記接触部は、前記第２の面に配置されたキーシートの周部である。
【００１８】
本発明においては、接触部を第２の面に配置したキーシートの周部とすることで、キーシートと第２の面との間においてグラファイトシートの移動を許容できる。
【００１９】
さらに、本発明は、前記グラファイトシートは、前記第３の面における、前記第１の面と前記段差面と前記第２の面に対面する領域において粘着性を有し、かつ前記段差面と前記第２の面に対面する領域において非粘着シートを備える。
【００２０】
本発明においては、グラファイトシートの第３の面を第１の面に粘着させることができる。よって、第１の面（例えば、金属面）にグラファイトシートを確実に面接触させることができる。
これにより、第１の面（金属面）の熱をグラファイトシートに好適に伝え、良好な放熱性を得ることができる。
【００２１】
また、グラファイトシートの第３の面が段差面や第２の面に粘着することを非粘着シートで防ぐことができる。
よって、グラファイトシートの移動を許容してグラファイトシートを段差面に馴染ませることができるようにした。
【００２２】
グラファイトシートを段差面に馴染ませることで、段差面に対して浮き上がらないようにグラファイトシートを配置できる。
これにより、浮き上がったグラファイトシートでキー基板が捲かれるように変形することを抑えて、キー基板（パネルスイッチ）のクリック不良を防ぐことができる。
【００２３】
さらに、キー基板（パネルスイッチ）近傍の段差面において、グラファイトシートが浮き上がることを抑えることで、キー基板（パネルスイッチ）の押し操作でグラファイトシートが繰り返し撓むことを防止できる。
これにより、グラファイトシートの繰り返しの撓みでグラファイトが切断されることを防いで、グラファイトシートの熱伝達機能を良好に保つことができる。
【００２４】
加えて、段差面や第２の面にグラファイトシートを粘着させないことで、段差面にグラファイトシートを簡単に馴染ませることができる。
よって、第１の面にグラファイトシートを張り付ける際に、グラファイトシートを段差面に馴染ませつつ浮きが発生しないように容易に張り付けることができる。
これにより、グラファイトシートを張り付ける際の作業効率を向上させることができる。
【００２５】
また、本発明は、前記グラファイトシートは、前記第４の面における、前記第１の面と前記段差面と前記第２の面に対面する領域において粘着性を有し、かつ前記段差面と前記第２の面に対面する領域において非粘着シートを備える。
【００２６】
本発明においては、グラファイトシートの第４の面における第１の面に対面する領域に粘着性を有することで、グラファイトシートの第４の面にキー基板を粘着できる。
これにより、グラファイトシートの第４の面にキー基板を確実に固定できる。
【００２７】
また、グラファイトシートの第４の面にキーシートが粘着することを非粘着シートで防ぐことができる。よって、キーシートがグラファイトシートの第４の面に粘着して凹状に凹むことを防止できる。
これにより、キーシートが凹んで外観不良になることを防いで、外観性を良好に保つことができる。
【発明の効果】
【００２８】
本発明の電子機器によれば、グラファイトシートの第３の面を筐体（第１の面）に粘着することで、第１の面の金属面に対してグラファイトシートを確実に面接触させることができ、良好な放熱性が得られるという効果を有する。
【図面の簡単な説明】
【００２９】
【図１】本発明に係る第１実施形態の電子機器を示す斜視図
【図２】第１実施形態の電子機器を示す分解斜視図
【図３】図１のＡ−Ａ線断面図
【図４】図３の電子機器を分解した状態を示す断面図
【図５】比較例の電子機器を示す断面図
【図６】図５の電子機器を分解した状態を示す断面図
【図７】第２実施形態の電子機器を示す断面図
【図８】図７の電子機器を分解した状態を示す断面図
【発明を実施するための形態】
【００３０】
以下、本発明の複数の実施の形態に係る電子機器１０について図面を参照して説明する。
【００３１】
（第１実施形態）
図１に示すように、本発明の第１実施形態である電子機器１０は、操作部１２が設けられた下筐体１１と、表示部１５が設けられた上筐体１４と、下筐体１１および上筐体１４を折畳み自在に連結する連結部１７と、下筐体１１および操作部１２間に配置されたグラファイトシート２０（図２参照）とを備えた折り畳み式携帯端末である。
【００３２】
なお、第１実施形態では電子機器１０として折り畳み式携帯端末を例示するが、電子機器１０は折り畳み式携帯端末に限定するものではなく、他の電子機器に適用することも可能である。
【００３３】
下筐体１１は、下筐体１１の下部を構成する下カバー１８と、下カバー１８の上部に設けられた上カバー（筐体）１９とで筐体状に形成されている。
【００３４】
図２〜図４に示すように、上カバー１９は、凹部２２の底面である第１の面２３と、凹部２２の頂面である第２の面２４と、第１の面２３および第２の面２４間に掛け渡された段差面２５とを備えている。
【００３５】
第１の面２３は、凹部２２の底面を形成する水平面である。
第２の面２４は、凹部２２の頂面（すなわち、第１の面２３より上方の面）を形成する水平面である。
段差面２５は、第１の面２３から第２の面２４に向けて上り勾配に延びる傾斜面である。
第１の面２３、第２の面２４および段差面２５は金属板（すなわち、金属面）で形成されている。この金属板は上カバー１９にインサート成型されている。
【００３６】
操作部１２は、グラファイトシート２０に配置されたキー基板２６と、キー基板２６を覆うキーシート２８とを備えている。
キー基板２６は、グラファイトシート２０に配置された基板シート２７ａと、基板シート２７ａに設けられたパネルスイッチ（ドームスイッチ）２７ｂとを備えている。
【００３７】
基板シート２７ａは、グラファイトシート２０の第４の面３５ｂにおいて第６の領域（領域）３３に配置された可撓性の放熱性ＦＰＣシートである。
第６の領域３３は、グラファイトシート２０の第４の面３５ｂにおいて、第１の面２３に対応（対面）する領域である。
【００３８】
キーシート２８は、キー基板２６と、グラファイトシート２０の第５の領域３２とを覆うとともに、キー押圧部２８ａを備えた部材である。
第５の領域３２は、グラファイトシート２０（第４の面３５ｂ）のうち段差面２５と第２の面２４に配置された（対面する）領域である。
キーシート２８のキー押圧部２８ａを押圧することで、パネルスイッチ２７ｂをオフからオンに切り替えることができる。
【００３９】
このキーシート２８は、キーシート２８を上カバー１９の第２の面２４に接続する接触部２９を備えている。
接触部２９は、キーシート２８の周部２８ｂに備えられるとともに第２の面２４に接続（接触）することで、キーシート２８を第２の面２４に固定（配置）する部材である。
キーシート２８および第２の面２４を接触部２９で固定することで、キーシート２８と第２の面２４との間に空間を形成でき、これによりキーシート２８と第２の面２４との間においてグラファイトシート２０の移動を許容できる。
さらに、接触部２９を第２の面２４に配置したキーシート２８の周部２８ｂとすることで、キーシート２８と第２の面２４との間においてグラファイトシート２０の移動を許容できる。
【００４０】
グラファイトシート２０は、凹部２２（第１の面２３、第２の面２４および段差面２５）に沿って配置されたシート本体３５と、シート本体３５内に収容されたグラファイト３６とを備えた可撓性のシートである。
グラファイト３６は可撓性と高い熱伝導性を備えるが、割れやすい部材である。そこでグラファイト３６をシート本体３５内に収容することで、グラファイトシート２０は可撓性及び放熱性を備えるとともに、割れにくいシートの形状に形成されている。
【００４１】
シート本体３５は、上カバー１９側に位置する第３の面３５ａと、第３の面３５ａの反対（すなわち、キーシート２８側）に位置する第４の面３５ｂとを有する可撓性のシートである。
そして、第３の面３５ａおよび第４の面３５ｂ間にグラファイト３６が備えられている。
シート本体３５の第３の面３５ａは、第１の面２３、段差面２５および第２の面２４に倣って配置（形成）されている。
【００４２】
このグラファイトシート２０は、シート本体３５の第３の面３５ａに備えられた第１粘着材４１と、第１粘着材４１および上カバー１９間に配置された第１非粘着シート（非粘着シート）４２と、シート本体３５の第４の面３５ｂに備えられた第２粘着材４３と、第２粘着材４３および操作部１２（すなわち、キーシート２８）間に配置された第２非粘着シート（非粘着シート）４４とを備えている。
【００４３】
第１粘着材４１は、シート本体３５の第３の面３５ａにおける第１の領域（領域）４６に備えられている。
第１の領域４６は、シート本体３５の第３の面３５ａにおける、第１の面２３、段差面２５および第２の面に対面する領域である。
すなわち、シート本体３５の第１領域４６は粘着性を有している。
【００４４】
第１非粘着シート４２は、シート本体３５の第３の面３５ａにおける第２の領域（領域）４７（具体的には、第１粘着材４１）に備えられている。
第２の領域４７は、シート本体３５の第３の面３５ａにおける、段差面２５と第２の面２４に対面する領域である。
そして、第３の面３５ａの第３の領域４８が第１粘着材４１を介して第１の面２３に粘着されている。第３の領域４８は、シート本体３５の第３の面３５ａにおける第１の面２３に対面する領域である。
【００４５】
換言すれば、グラファイトシート２０の第３の面３５ａは、第３の領域４８が第１の面２３に粘着するとともに、第２の領域４７が段差面２５および第２の面２４に粘着しないように形成されている。
【００４６】
グラファイトシート２０の第３の領域４８を第１の面２３に粘着することで、第１の面２３（金属面）に対してグラファイトシート２０を確実に面接触させることができる。
これにより、第１の面２３（金属面）の熱をグラファイトシート２０に好適に伝え、良好な放熱性を得ることができる。
【００４７】
ここで、段差面２５や第１の面２３にグラファイトシート２０の第２の領域４７を粘着させた場合、第２の領域４７の移動が規制されてしまう。
このため、グラファイトシート２０を段差面２５に馴染ませつつグラファイトシート２０に浮きが発生しないように張り付けることは難しい。
そこで、グラファイトシート２０の第２の領域４７が段差面２５および第２の面２４に粘着することを第１非粘着シート４２で防ぐようにした。
【００４８】
よって、グラファイトシート２０の第２の領域４７の移動を可能にして第２の領域４７を段差面２５に馴染ませることができる。第２の領域４７を段差面２５に馴染ませることで、グラファイトシート２０を段差面２５に対して浮き上がらないように配置できる。
これにより、浮き上がったグラファイトシート２０でキー基板２６（具体的には、基板シート２７ａ）が捲かれるように変形することを抑えることができる。
したがって、キーシート２８のキー押圧部２８ａを押圧したときのパネルスイッチ２７ｂのクリック不良を防ぐことができる。
【００４９】
さらに、パネルスイッチ２７ｂの近傍に段差面２５が設けられている。よって、パネルスイッチ２７ｂの近傍の段差面２５において、グラファイトシート２０が浮き上がることを抑えることで、キー押圧部２８ａの押し操作でグラファイトシート２０が繰り返し撓むことを防止できる。
これにより、グラファイトシート２０の繰り返しの撓みでグラファイト３６が切断されることを防いで、グラファイトシート２０の熱伝達機能を良好に保つことができる。
【００５０】
第２粘着材４３は、グラファイトシート２０の第４の面３５ｂにおける第４の領域（領域）３１に備えられている。
第４の領域３１は、グラファイトシート２０の第４の面３５ｂにおける、第１の面２３、段差面２５および第２の面に対面する領域である。
すなわち、グラファイトシート２０の第４の領域３１は粘着性を有している。
【００５１】
第２非粘着シート４４は、グラファイトシート２０の第４の面３５ｂにおける第５の領域（部分、領域）３２（具体的には、第２粘着材４３）に備えられている。
第５の領域３２は、グラファイトシート２０の第４の面３５ｂにおける、段差面２５と第２の面２４に対面する領域である。
そして、第４の面３５ｂの第６の領域３３が第２粘着材４３を介してキー基板２６の基板シート２７ａに粘着されている。
【００５２】
換言すれば、グラファイトシート２０の第４の面３５ｂは、第６の領域３３がキー基板２６（基板シート２７ａ）に粘着するとともに、第５の領域３２がキーシート２８（具体的には、周部２８ｂの近傍２８ｃ）に粘着しないように形成されている。
グラファイトシート２０の第６の領域３３にキー基板２６を粘着することで、グラファイトシート２０の第４の面３５ｂにキー基板２６を確実に固定できる。
【００５３】
さらに、グラファイトシート２０の第５の領域３２にキーシート２８（周部２８ｂの近傍２８ｃ）が粘着することを第２非粘着シート４４で防ぐことができる。
よって、キーシート２８（周部２８ｂの近傍２８ｃ）がグラファイトシート２０の第５の領域３２に粘着して凹状に凹むことを防止できる。
これにより、キーシート２８（周部２８ｂの近傍２８ｃ）が凹んで外観不良になることを防いで、外観性を良好に保つことができる。
さらに、グラファイトシート２０が段差面に沿い第２の面２４より離れる方向に跳ね上がった状態でキーシート２８を第２の面２４に張り付ける場合でも、グラファイトシート２０の第４の面３５ｂにキーシート２８を粘着しないことで、跳ね上がったグラファイトシート２０にキーシート２８が貼り付かなくなり、グラファイトシート２０を張り付ける際の作業効率を向上させることができる。
【００５４】
つぎに、電子機器１０を組み付ける手順を図４に基づいて説明する。
まず、上カバー１９の段差面２５および第２の面２４とグラファイトシート２０の第２の領域４７との間に第１非粘着シート４２を介在させる。
グラファイトシート２０（第１粘着材４１）を上カバー１９の第１の面２３に矢印Ａのように粘着させる（張り付ける）。
【００５５】
ここで、上カバー１９の段差面２５および第２の面２４とグラファイトシート２０の第２の領域４７との間に第１非粘着シート４２を介在させることで、第２の領域４７が段差面２５および第２の面２４に粘着すること防ぐことができる。
よって、グラファイトシート２０の第２の領域４７の位置を任意に調整してグラファイトシート２０を段差面２５に簡単に馴染ませることができる。
【００５６】
これにより、第１の面２３にグラファイトシート２０を張り付ける際に、グラファイトシート２０を段差面２５に馴染ませつつ浮きが発生しないように容易に張り付けることができる。
したがって、グラファイトシート２０を張り付ける際の作業効率を向上させることができる。
【００５７】
第１の面２３にグラファイトシート２０を張り付けた後、グラファイトシート２０の第６の領域３３に第２粘着材４３を介してキー基板２６（基板シート２７ａ）を矢印Ｂのように粘着する（張り付ける）。
つぎに、グラファイトシート２０の第５の領域３２（第２粘着材４３）に第２非粘着シート４４を配置する。
【００５８】
ついで、キーシート２８の接触部２９を矢印Ｃのように第２の面２４に接続（接触）することにより、キーシート２８を第２の面２４に固定（配置）する。
これにより、キーシート２８でキー基板２６を覆うことができる。
この状態において、グラファイトシート２０の第５の領域３２にキーシート２８が粘着することを第２非粘着シート４４で防ぐことができる。
【００５９】
（比較例）
図５〜図６に示すように、比較例の電子機器１００は、第１実施形態のグラファイトシート２０（図４参照）をグラファイトシート１０２に代えたもので、その他の構成は第１実施形態の電子機器１０と同じである。
【００６０】
グラファイトシート１０２は、第１実施形態のグラファイトシート２０から第１非粘着シート４２および第２非粘着シート４４（図４参照）を除去したもので、その他の構成は第１実施形態のグラファイトシート２０と同じである。
【００６１】
比較例の電子機器１００によれば、段差面２５や第２の面２４にグラファイトシート１０２の第２の領域４７が粘着し（図５では、第２の領域４７が第２の面２４のみに粘着する例を示す）、第２の領域４７の移動が規制される。
第２の領域４７の移動が規制されることで、図５に示すように、第２の領域４７のうち領域４７ａが段差面２５から浮き上がってしまう。
【００６２】
よって、グラファイトシート１０２を段差面２５に馴染ませつつグラファイトシート１０２に浮きが発生しないように張り付けることは難しい。
グラファイトシート１０２に浮きが発生することで、図５に示すように、浮き上がったグラファイトシート１０２でキー基板２６（具体的には、基板シート２７ａの端部２７ｃ）が捲かれるように変形する。
このため、キーシート２８のキー押圧部２８ａを押圧したとき、パネルスイッチ２７ｂがクリック不良を生じる虞がある。
【００６３】
また、比較例の電子機器１００によれば、図５に示すように、グラファイトシート１０２の第５の領域３２に第２粘着材４３を介してキーシート２８の周部２８ｂ（具体的には、周部２８ｂの近傍２８ｃ）が粘着する。
このため、周部２８ｂの近傍２８ｃが凹状に凹み、外観性を良好に保つことができない虞がある。
【００６４】
これに対して、図３〜図４に示す第１実施形態の電子機器１０は、第１非粘着シート４２でグラファイトシート２０の浮き上がりを抑えてパネルスイッチ２７ｂのクリック不良を防ぐことができる。
また、第１実施形態の電子機器１０は、第２非粘着シート４４でキーシート２８の周部２８ｂ（具体的には、周部２８ｂの近傍２８ｃ）がグラファイトシート２０に粘着することを防ぐことができる。
これにより、周部２８ｂの近傍２８ｃが凹状に凹むことを抑えて外観性を良好に保つことができる。
【００６５】
（第２実施形態）
図７〜図８に示すように、本発明の第２実施形態の電子機器７０は、第１実施形態のグラファイトシート２０をグラファイトシート７２に代えたもので、その他の構成は第１実施形態の電子機器１０と同じである。
【００６６】
グラファイトシート７２は、第１実施形態に備えたグラファイトシート２０の第１粘着材４１（図４参照）を第１粘着材７４に代え、第２粘着材４３（図４参照）を第２粘着材７６に代えたもので、その他の構成（第１非粘着シート４２および第２非粘着シート４４など）は第１実施形態のグラファイトシート２０と同様である。
【００６７】
第１粘着材７４は、シート本体３５の第３の面３５ａにおける、第１の面２３に対面する第３の領域４８に備えられている。
すなわち、シート本体３５の第３の領域４８は粘着性を有している。
【００６８】
第１非粘着シート４２は、シート本体３５の第３の面３５ａにおける、段差面２５と第２の面２４に対面する第２の領域４７に備えられている。
そして、第３の面３５ａの第３の領域４８が第１粘着材７４を介して第１の面２３に粘着されている。
【００６９】
換言すれば、グラファイトシート７２の第３の面３５ａは、第１実施形態と同様に、第３の領域４８が第１の面２３に粘着するとともに、第２の領域４７が段差面２５および第２の面２４に粘着しないように形成されている。
【００７０】
すなわち、第２実施形態の電子機器７０によれば、第１実施形態の電子機器１０と同様に、良好な放熱性を得ることや、パネルスイッチ２７ｂのクリック不良を防ぐことができる。
さらに、第２実施形態の電子機器７０によれば、第１実施形態と同様に、グラファイトシート７２の熱伝達機能を良好に保つことや、グラファイトシート７２を張り付ける際の作業効率を向上させることができる。
【００７１】
また、第２粘着材７６は、グラファイトシート７２の第４の面３５ｂにおける、第１の面２３に対面する第６の領域３３に備えられている。
すなわち、グラファイトシート２０の第６の領域３３は粘着性を有している。
【００７２】
第２非粘着シート４４は、グラファイトシート７２の第４の面３５ｂにおける、段差面２５と第２の面２４に対面する第５の領域３２に備えられている。
そして、第４の面３５ｂの第６の領域３３が第２粘着材７６を介してキー基板２６（基板シート２７ａ）に粘着されている。
【００７３】
換言すれば、グラファイトシート７２の第４の面３５ｂは、第１実施形態と同様に、第６の領域３３がキー基板２６（基板シート２７ａ）に粘着するとともに、第５の領域３２がキーシート２８に粘着しないように形成されている。
【００７４】
すなわち、第２実施形態の電子機器７０によれば、第１実施形態と同様に、キー基板２６を確実に固定することや、キーシート２８（周部２８ｂの近傍２８ｃ）の凹みを抑えて外観性を良好に保つことができる。
ここで、第２実施形態の電子機器７０によれば、第１粘着材７４を第３の領域４８に備え、第２粘着材７６を第６の領域３３に備えることで、前述した第１実施形態のように段差面２５および第２の面２４において第１粘着材および第１非粘着シートが積層された場合に比較して薄型化できる。
【００７５】
なお、本発明に係る電子機器は、前述した第１実施形態〜第２実施形態に限定されるものではなく適宜変更、改良などが可能である。
例えば、第１実施形態〜第２実施形態では、電子機器として折り畳み式携帯端末を例示するが、電子機器は折り畳み式携帯端末に限定するものではなく、その他の電子機器に適用することも可能である。
【００７６】
また、前記第１実施形態〜第２実施形態で使用した電子機器、上カバー、グラファイトシート、凹部、第１の面、第２の面、段差面、キー基板、キーシート、周部、第４の領域、第５の領域、第６の領域、シート本体、第３の面、第４の面、グラファイト、第１粘着材、第１非粘着シート、第２粘着材、第２非粘着シート、接触部、第１の領域、第２の領域および第３の領域などの形状や構成は例示したものに限定するものではなく適宜変更が可能である。
【００７７】
本出願は、２０１０年１月１８日出願の日本国特許出願（特願2010-008129）に基づくものであり、それらの内容はここに参照として取り込まれる。
【符号の説明】
【００７８】
１０，７０  電子機器
１１  下筐体
１９  上カバー（筐体）
２０，７２  グラファイトシート
２２  凹部
２３  第１の面
２４  第２の面
２５  段差面
２６  キー基板
２８  キーシート
２８ｂ  周部
３１  第４の領域（第４の面における、第１の面と段差面と第２の面に対面する領域）
３２  第５の領域（グラファイトシートの段差面と第２の面に配置された部分、第４の面における、段差面と第２の面に対面する領域）
３３  第６の領域（第４の面において、第１の面に対応する領域）
３５  シート本体
３５ａ  第３の面
３５ｂ  第４の面
３６  グラファイト
４１，７４  第１粘着材
４２  第１非粘着シート
４３，７６  第２粘着材
４４  第２非粘着シート
４６  第１の領域（第３の面における、第１の面と段差面と第２の面に対面する領域）
４７  第２の領域（第３の面における、段差面と第２の面に対面する領域）
４８  第３の領域
【手続補正２】
【補正対象書類名】特許請求の範囲
【補正対象項目名】全文
【補正方法】変更
【補正の内容】
【特許請求の範囲】
【請求項１】
凹部の底面である第１の面と、前記凹部の頂面である第２の面と、前記第１の面と前記第２の面との間に掛け渡された段差面と、を備える筐体と、
第３の面と、前記第３の面と反対の第４の面と、前記第３の面と前記第４の面の間にグラファイトとを備え、前記第３の面が、前記第１の面と前記段差面と前記第２の面に倣って配置されたグラファイトシートと、
前記グラファイトシートの前記第４の面において、前記第１の面に対応する領域に配置されたキー基板と、
前記キー基板と、前記グラファイトシートの前記段差面と前記第２の面に配置された部分と、を覆うキーシートとを備え、
前記グラファイトシートの第３の面は、前記第１の面に粘着するとともに、前記段差面および前記第２の面に粘着しない電子機器。
【請求項２】
請求項１に記載の電子機器であって、
前記グラファイトシートの第４の面は、前記キー基板に粘着するとともに、前記キーシートと粘着しない電子機器。
【請求項３】
請求項２に記載の電子機器であって、
前記キーシートは前記第２の面に接触する接触部を備え、
前記キーシートと前記第２の面は前記接触部において固定される電子機器。
【請求項４】
請求項３に記載の電子機器であって、
前記接触部は、前記第２の面に配置されたキーシートの周部である電子機器。
【請求項５】
請求項１に記載の電子機器であって、
前記グラファイトシートは、前記第３の面における、前記第１の面と前記段差面と前記第２の面に対面する領域において粘着性を有し、かつ前記段差面と前記第２の面に対面する領域において非粘着シートを備える電子機器。
【請求項６】
請求項２に記載の電子機器であって、
前記グラファイトシートは、前記第４の面における、前記第１の面と前記段差面と前記第２の面に対面する領域において粘着性を有し、かつ前記段差面と前記第２の面に対面する領域において非粘着シートを備える電子機器。
【手続補正３】
【補正対象書類名】図面
【補正対象項目名】全図
【補正方法】変更
【補正の内容】
【図１】
2011086950.tif 000011
【図２】
2011086950.tif 000012
【図３】
2011086950.tif 000013
【図４】
2011086950.tif 000014
【図５】
2011086950.tif 000015
【図６】
2011086950.tif 000016
【図７】
2011086950.tif 000017
【図８】
2011086950.tif 000018
【国際調査報告】
2011086950.tif 000019
2011086950.tif 000020
2011086950.tif 000021
2011086950.tif 000022